(57)【要約】【課題】燃料電池又は燃料電池スタック１を動作させる方法を提案すること。【解決手段】燃料電池又は燃料電池スタックは、所与の燃料ガス流れでは、動作温度によって決まる電気最大パワーを出力することができ、動作持続期間によって決まる経年劣化を示す。その経年劣化は、動作持続期間が累積するのにつれて電気内部抵抗の増加を引き起こす。本方法では、新しい燃料電池又は新しい燃料電池スタックでは、動作温度の開始値Ｔ０が、通常、電気最大パワーがその温度で得られる動作温度より低い、又はそれと等しい。燃料電池又は燃料電池スタック１は、燃料電池又は燃料電池スタックの動作温度Ｔを経年劣化の進むのにつれて上昇させることで、経年劣化の結果としての出力電気パワーの低下が部分的に、又は完全に補償されるように調整される。【選択図】図１
2014212114.tif 000002
【特許請求の範囲】
【請求項１】
燃料電池又は燃料電池スタック（１）を動作させる方法であって、
前記燃料電池又は前記燃料電池スタックは、所与の燃料ガス流れでは、動作温度によって決まる電気最大パワーを出力することができ、そして動作持続期間によって決まる経年劣化を示し、
前記経年劣化は、動作持続期間が累積するにつれて電気内部抵抗の増加を引き起こす、方法において、
前記方法では、新しい燃料電池又は新しい燃料電池スタックでは、前記動作温度の開始値（Ｔ０）が事前に決定され、その値は、前記燃料電池又は前記燃料電池スタックに対する最大規定動作温度（Ｔｍａｘ）より小さく、
前記燃料電池又は前記燃料電池スタック（１）は、前記燃料電池又は前記燃料電池スタックの前記動作温度（Ｔ）を経年劣化の進むのにつれて上昇させることで、前記経年劣化の結果としての電気パワー出力の低下が部分的に、又は完全に補償されるように調整されることを特徴とする、方法。
【請求項２】
前記動作温度の前記開始値（Ｔ０）は、前記電気最大パワーがその温度で得られる前記動作温度より低い、又はそれに等しく、
前記動作温度の前記開始値（Ｔ０）は、具体的には、７４０℃と８００℃の間に在る、請求項１に記載の方法。
【請求項３】
前記動作温度（Ｔ）は、前記燃料電池又は前記燃料電池スタックに対する前記最大規定動作温度（Ｔｍａｘ）に達するまでの期間、経年劣化の進むのにつれて上昇させる、請求項１又は２の一項に記載の方法。
【請求項４】
前記出力電気パワー（Ｐ）に対する上側閾値が事前に決定され、
この上側閾値は、具体的には、新しい燃料電池又は新しい燃料電池スタックの前記電気最大パワーのせいぜい８０％、又はせいぜい９０％、又はせいぜい９５％に達する、請求項１から３までのいずれか一項に記載の方法。
【請求項５】
前記経年劣化の結果としての出力電気パワーの前記低下は、前記燃料電池又は前記燃料電池スタック（１）の電気出力電圧（Ｕ）を経年劣化の進むのにつれて低下させることで補償され、
具体的には、開始値（Ｕ０）が前記出力電圧に対して事前に決定されており、その開始値は、前記電気出力パワーが、所与の燃料ガス流れ及び所与の動作温度では、その値で最大になる出力電圧値（Ｕｏｐｔ）より高い、請求項１から４までのいずれか一項に記載の方法。
【請求項６】
前記出力電圧（Ｕ）は、前記電気出力パワーが、前記燃料電池又は前記燃料電池スタックでは、その値で最大になる前記出力電圧値（Ｕｏｐｔ）に達するまでの期間、低下させる、請求項５に記載の方法。
【請求項７】
前記経年劣化の結果としての出力電気パワーの前記低下は、燃料ガス流れ（Ｐｇａｓ）を経年劣化の進むのにつれて増加させることで補償され、
具体的には、開始値（Ｐｇａｓ０）が、前記燃料ガス流れに対して事前に決定されており、その開始値は、前記燃料電池又は前記燃料電池スタックに対する最大規定燃料ガス流れ（Ｐｍａｘ）より小さい、請求項１から６までのいずれか一項に記載の方法。
【請求項８】
前記燃料ガス流れ（Ｐｇａｓ）は、前記燃料電池又は前記燃料電池スタックに対する前記最大規定燃料ガス流れ（Ｐｍａｘ）に達するまでの期間、増加させる、請求項７に記載の方法。
【請求項９】
前記電気出力電圧のための開始値（Ｕ０）が事前に決定され、その値は、前記電気出力パワーが、所与の燃料ガス流れ及び所与の動作温度では、その値で最大になる前記出力電圧値（Ｕｏｐｔ）より大きく、
前記燃料ガス流れのための開始値（Ｐｇａｓ０）が事前に決定され、その値は、前記燃料電池又は前記燃料電池スタックに対する前記最大規定燃料ガス流れ（Ｐｍａｘ）より小さく、そして
前記動作温度の開始値（Ｔ０）が事前に決定され、その値は、前記燃料電池又は前記燃料電池スタックに対する前記最大規定動作温度（Ｔｍａｘ）より小さく、そこでは、
第１のフェーズでは、前記経年劣化の結果としての出力電気パワーの前記低下は、前記電気出力電圧（Ｕ）を、前記電気出力パワーが、所与の燃料ガス流れ及び所与の動作温度では、その値で最大になる前記出力電圧値（Ｕｏｐｔ）に達するまで、低下させることで補償され、
第２のフェーズでは、前記経年劣化の結果としての出力電気パワーの前記低下は、前記燃料ガス流れ（Ｐｇａｓ）を、前記燃料電池又は前記燃料電池スタックに対する前記最大規定燃料ガス流れ（Ｐｍａｘ）に達するまで、増加させることで補償され、
第３のフェーズでは、前記燃料電池又は前記燃料電池スタックの前記動作温度（Ｔ）は、前記燃料電池又は前記燃料電池スタックに対する前記最大規定動作温度（Ｔｍａｘ）に達するまで、上昇させる、請求項１から８までのいずれか一項に記載の方法。
【請求項１０】
動作の間、前記燃料電池及び／又は前記燃料電池スタックの電流電圧特性線が、その勾配がその間で最小になる時間の間隔で決定され、
前記勾配の前記最小に関するそれぞれの値、又は前記勾配の前記最小と関連付けられる値（Ｒｍｉｎ）が、前記検出された電流電圧特性線から決定され、
動作点に関する基準点が、前記決定値を事前に決定されたオフセット値Ｒｏｆｆｓｅｔに数学的に結び付けることによって、具体的には事前に決定されたオフセット値を前記検出された値に加算することによって決定され、
前記燃料電池又は前記燃料電池スタックの前記出力電圧は、前記そのように決定された基準点によって調整される、請求項１から９までのいずれか一項に記載の方法。
【請求項１１】
前記燃料電池又は前記燃料電池スタックの前記出力電圧（Ｕ）は、前記燃料電池又は前記燃料電池スタック（１）の前記出力（９）に接続される調整可能な消費者（３）又は調整可能な電流シンクを介して調整される、請求項１から１０までのいずれか一項に記載の方法。
【請求項１２】
燃料電池、燃料電池スタック（１）又は燃料電池スタック・システムのための調整装置（８）であって、
請求項１から１１までのいずれか一項に記載の方法によって前記燃料電池又は前記燃料電池スタック又は前記燃料電池スタック・システムを制御する、及び／又は調整するために取り付けられる、調整装置（８）。
【請求項１３】
前記燃料電池又は前記燃料電池スタック（１）の出力（９）に接続することができる調整可能な消費者（３）又は調整可能な電流シンクを、前記燃料電池又は前記燃料電池スタックの前記出力電圧（Ｕ）を前記調整可能な消費者及び／又は前記調整可能な電流シンクを介して調整するためにさらに含む、請求項１２に記載の調整装置。
【請求項１４】
請求項１２又は請求項１３に記載の調整装置（８）を有する燃料電池又は燃料電池スタック又は燃料電池スタック・システム。
【発明の詳細な説明】
【技術分野】
【０００１】
本発明は、請求項１のプリアンブル又は請求項１２のプリアンブルに記載の燃料電池又は燃料電池スタックを動作させるための方法及び調整装置に関し、さらにまた、かかる調整装置を有する燃料電池、燃料電池スタック及び燃料電池スタック・システムに関する。
【背景技術】
【０００２】
燃料電池、具体的には、固体酸化物燃料電池（ＳＯＦＣ：Ｓｏｌｉｄ  Ｏｘｉｄｅ  Ｆｕｅｌ  Ｃｅｌｌ）タイプの高温燃料電池によって、燃料から得られるエネルギーをエネルギーの変換を通じて利用できるようになっている。これに関して、電気化学プロセスによって生成される電気エネルギー、さらにまたプロセスの高温排ガスの形態で発生する熱エネルギーの両方を使用することができる。２つの抽出物（ｅｄｕｃｔ）のガス状流れが、セルを通じて別々に誘導される。第１の抽出物、具体的には環境大気は酸化成分を含み、第２の抽出物は還元成分を含む。好都合にも、メタンを含有するガスは、第２の抽出物（たとえば天然ガス）として使用され、それは、誘導されて改質装置を通過し、その後セルに入り、そしてそこで、たとえば、プロセス熱を供給するとき、水そして事によると空気を、還元されることになる成分、すなわち水素及び一酸化炭素中に追加して導入することによって変換される。高温排ガスは、好都合にも、改質装置中で必要なプロセス熱の源として使用することができる。
【０００３】
燃料電池バッテリを動作させる方法は、たとえば欧州特許第１２０５９９３Ａ１号から知ることができる。この方法では、要求パワーに依存する、燃料電池バッテリの調整が述べられている。
【０００４】
実際には、燃料電池及び燃料電池スタックは、一般に、動作温度が一定で動作し、及び要求パワー及びガス組成が変化しない限り、燃料ガス流れが一定で動作する。さらに、その動作は、一般に、所与の燃料ガス流れでは達成可能な電気最大パワーの近くで行われる、というのは燃料ガスの利用が最善であるからである。
【０００５】
次に示すように、一定の動作温度及び一定の燃料ガス流れによる動作は、理想的でない。
【０００６】
燃料電池又は燃料電池スタックの内部抵抗及びこの方法での電気損失は、温度を上昇させるにつれて減少する。他方では、内部抵抗が０での効率
2014212114.tif 000003
の理論レベルは、次の方程式［１］によって、より低温でより高い。
【０００７】
【数１】
2014212114.tif 000004
ただし、
Ｇ＝ギブス・エネルギー
Ｈ＝エンタルピー
Ｔ＝温度
Ｓ＝エントロピー
である。
【０００８】
内部抵抗に、及び効率の理論レベルに対する温度の影響によって利益が生じないので、内部抵抗にさらに依存する理想的な動作温度が与えられる。
【０００９】
図３Ａは、出力電気パワーＰの通常の程度を、所与の燃料ガス流れで新しい状態で、燃料電池又は燃料電池スタックの動作温度Ｔの関数として示す。出力電気パワーの最大値Ｐｍａｘ０をはっきりと認識することができる。
【００１０】
燃料電池又は燃料電池スタックの内部抵抗は、材料の劣化（経年劣化）によって時がたてば増加し、そして理想的な動作温度は、時がたてばより高温に移る。
【００１１】
図３Ｂは、出力電気パワーＰの通常の程度を、７５０℃の動作温度及び一定に維持された燃料ガス流れで２０，０００時間の動作時間の後、燃料電池又は燃料電池スタックの動作温度Ｔの関数として示す。出力電気パワーの最大値は、燃料電池又は燃料電池スタックの新しい状態では、最大値Ｐｍａｘ０に比べて低下し、そして図３Ａに示すパワーの程度と比較して、より高い動作温度に移っている。
【００１２】
さらに、材料の劣化は、また、動作温度によって決まる。より低い温度では、材料の劣化は、確かにより少ないが、しかし内部抵抗は、より低い温度の結果として増加し、したがって材料の劣化が著しくより激しい。
【００１３】
内部抵抗に、そしてこの方法での効率の電気レベルに対する上述の影響のほかに、材料の劣化によるさらなる害を与える作用は、ユーザが、時間が経つにつれて燃料電池又は燃料電池スタックから出力される電気パワーが低下することに直面するということに在る。
【００１４】
上記に述べた関連性は、一般に、燃料電池又は燃料電池スタックが、これまで通常であったように、一定の動作温度で動作しているとき、考慮されない。
【先行技術文献】
【特許文献】
【００１５】
【特許文献１】欧州特許第１２０５９９３Ａ１号
【発明の概要】
【発明が解決しようとする課題】
【００１６】
本発明の目的は、燃料電池又は燃料電池スタック、及び調整装置を動作させる方法、さらにまたこの方法を実行するための燃料電池及び燃料電池スタックを提供することであり、この方法によって、燃料電池又は燃料電池スタックの寿命が延び、そして出力電気パワーに対する経年劣化による作用を低減することができる。
【課題を解決するための手段】
【００１７】
この目的は、請求項１で定義される方法及び請求項１２で定義される調整装置、さらにまた請求項１４で定義される燃料電池、燃料電池スタック及び燃料電池スタック・システムに関する本発明によってかなえられる。
【００１８】
本発明による、燃料電池又は燃料電池スタックを動作させるための方法であって、該燃料電池又は該燃料電池スタックは、所与の燃料ガス流れでは、動作温度によって決まる電気最大パワーを出力することができ、そして動作持続期間が累積するにつれて電気内部抵抗の増加を引き起こす動作持続期間によって決まる経年劣化を示す、方法は、新しい燃料電池又は新しい燃料電池スタックでは、好都合にも燃料電池又は燃料電池スタックに対する最大規定動作温度より低い、動作温度の開始温度が事前に決定されることと、燃料電池又は燃料電池スタックの動作温度を経年劣化の進むのにつれて上昇させることで、経年劣化の結果としての出力電気パワーの低下が部分的に又は完全に補償されるように、燃料電池又は燃料電池スタックが調整されることとを特徴とする。都合良く、動作温度は、燃料電池又は燃料電池スタックに対する最大規定動作温度に達するまでの期間、経年劣化が進むのにつれて上昇させる。
【００１９】
動作温度の開始値は、都合良く、電気最大パワーがその温度で得られる動作温度より小さい、又はそれと等しい。ＳＯＦＣ燃料電池では、動作温度の開始値は、通常７４０℃と８００℃の間に在る。
【００２０】
都合良く、出力電気パワーのための上側閾値が事前に決定され、この上側閾値は、たとえば、新しい燃料電池又は新しい燃料電池スタックの電気最大パワーのせいぜい８０％、又はせいぜい９０％、又はせいぜい９５％にすることができる。
【００２１】
好都合な実施例では、経年劣化の結果としての出力電気パワーの低下は、燃料電池又は燃料電池スタックの電気出力電圧を経年劣化の進むのにつれて低下させることで補償され、たとえば、出力電圧についての開始値は、事前に決定することができ、その値は、電気出力パワーが、所与の燃料ガス流れ及び所与の動作温度では、その値で最大になる出力電圧値より高い。
【００２２】
都合良く、出力電圧は、電気出力電圧が、所与の燃料ガス流れ及び所与の動作温度では、その値で最大になる出力電圧値に達するまでの期間、低下させる。
【００２３】
さらなる好都合な実施例では、経年劣化の結果としての出力電気パワーの低下は、燃料ガス流れを経年劣化の進むのにつれて増加させることで補償され、たとえば、燃料ガス流れに関する開始値は事前に決定することができ、その値は、燃料電池又は燃料電池スタックに対する最大規定燃料ガス流れより小さい。
【００２４】
都合良く、燃料ガス流れは、燃料電池又は燃料電池スタックに対する最大規定燃料ガス流れに達するまでの期間、増加させる。
【００２５】
上記に述べた実施例は、たとえば電気出力電圧のための開始値が事前に決定され、その値は、電気出力パワーが、所与の燃料ガス流れ及び所与の動作温度では、その値で最大になる出力電圧値より高い；及び／又は燃料ガス流れのための開始値が事前に決定され、その値は、燃料電池又は燃料電池スタックに対する最大規定燃料ガス流れより小さい、及び動作温度の開始値が事前に決定され、その値は、燃料電池又は燃料電池スタックの最大規定動作温度より小さい；そこでは、場合に応じて、第１のフェーズでは、経年劣化の結果としての出力電気パワーの低下は、電気出力電圧が、所与の燃料ガス流れ及び所与の動作温度では、その値で最大になる出力電圧値に達するまで、電気出力電圧を低下させることで補償される；場合に応じて、第２のフェーズでは、経年劣化の結果としての出力電気パワーの低下は、燃料電池又は燃料電池スタックに対する最大規定燃料ガス流れに達するまで、燃料ガス流れを増加させることで補償される；そして場合に応じて、第３のフェーズでは、経年劣化の結果としての出力電気パワーの低下は、燃料電池又は燃料電池スタックに対する最大規定動作温度に達するまで、燃料電池又は燃料電池スタックの動作温度を上昇させることで補償される点において、様々なシーケンスで、ペアとして、又は３つで結合することができる。
【００２６】
実施例と独立して、必要なら、燃料電池又は燃料電池スタックの電流電圧特性線が、動作の間、そのラインの勾配がその間で最小になる時間の間隔で検出され、勾配の最小の値又は勾配の最小と関連付けられる値Ｒｍｉｎが個別に決定され、そこで、動作点についての基準点が、その決定値を事前に決定されたオフセット値Ｒｏｆｆｓｅｔに数学的に結び付けることによって、具体的には決定値に事前に決定されたオフセット値を加算することによって決定され、そして燃料電池又は燃料電池スタックの出力電圧は、そのように決定された基準点を使用して調整される。
【００２７】
都合良く、燃料電池又は燃料電池スタックの出力電圧は、燃料電池又は燃料電池スタックの出力に接続される調整可能な消費者又は調整可能な電流シンクを介して調整される。
【００２８】
本発明は、燃料電池又は燃料電池スタック又は燃料電池スタック・システムのための調整装置をさらに含み、それは、上記に述べた実施例及びその変形のいずれか１つによる方法によって、燃料電池又は燃料電池スタック又は燃料電池スタック・システムをそれぞれ制御する、及び／又は調整するために取り付けられる。
【００２９】
好都合な実施例では、調整装置は、調整可能な消費者又は調整可能な電流シンクをさらに含み、調整可能な消費者又は調整可能な電流シンクは、燃料電池又は燃料電池スタックの出力電圧を調整可能な消費者又は調整可能な電流シンクを介して調整するために、燃料電池又は燃料電池スタックの出力に接続することができ、該調整可能な消費者は、たとえば燃料電池中で生成される電流を電力網中に導入するために、その出力を電力網に接続することができる電圧変換器又はインバータとすることができる。
【００３０】
本発明は、上記の記述による調整装置又は調整装置の実施例を有する燃料電池又は燃料電池スタックをさらに含む。
【００３１】
本発明による燃料電池又は燃料電池スタックを動作させる方法及び調整装置、さらにまた燃料電池及び燃料電池スタックは、経年劣化作用が、動作温度の開始値が低いことによって低減される、且つ燃料電池及び燃料電池スタックの寿命は延ばすことができ、そしてユーザには、同時に、経年劣化の結果としての出力電気パワーの低下を部分的に、又は完全に補償する調整によって、寿命の大部分の間、実質的に一定の電気パワーが提供されるという利点を有する。
【００３２】
実施例及びその変形の上記の記述は、実例としてだけで働く。さらなる好都合な実施例は、従属請求項及び図面に由来する。その上、また、述べる、又は示す実施例及びその変形からの個別の特徴は、新しい実施例を形成するために、本発明のフレームワーク中で互いに結合することができる。
【００３３】
次の事項では、実施例によって、及び図面によって本発明を詳細に述べる。
【図面の簡単な説明】
【００３４】
【図１】本発明による調整装置を有する燃料電池スタックの実施例を示す図である。
【図２】本発明による方法の実施例を例示する概略フローチャート図である。
【図３Ａ】新しい状態の燃料電池又は燃料電池スタックに関して、動作温度の関数として出力電気パワーの通常の程度を示す図である。
【図３Ｂ】所定の動作時間の直後での燃料電池又は燃料電池スタックに関して、動作温度の関数として出力電気パワーの通常の程度を示す図である。
【発明を実施するための形態】
【００３５】
図１は、本発明による調整装置８を有する燃料電池スタック１の実施例を示す。調整装置を有する燃料電池スタックの構成は、次の事項で燃料電池システム１０としても言及する。燃料電池スタック１は、たとえば固体酸化物燃料電池（ＳＯＦＣ：Ｓｏｌｉｄ  Ｏｘｉｄｅ  Ｆｕｅｌ  Ｃｅｌｌ）タイプの高温燃料電池から組み立てることができ、それは、通常、６００℃〜１０００℃の温度で動作し、燃料のエネルギーの使用をエネルギーの変換によって使用できるようにしている。これに関し、電気化学プロセスによって生成される電気エネルギーとプロセスの高温ガスの排ガスの形態で生じる熱エネルギーの両方を使用することができる。動作の間、２つの抽出物Ａ、Ｂのガス状の流れが、別々に誘導されてセルを通過する。たとえば環境大気とすることができる第１の抽出物Ａは、酸化成分を含み、第２の抽出物Ｂは還元成分を含む。
【００３６】
都合良く、メタンを含有するガス（たとえば天然ガス）を第２の抽出物Ｂとして使用し、それは、誘導されて、図１に示していない改質装置を通過し、その後セルに入り、そこで、たとえば、プロセス熱を供給するとき、水Ｗ及び事によれば空気を追加して還元成分の水素及び一酸化炭素中に導入することによって変換される。高温排ガスは、都合良く、改質装置が必要とするプロセス熱の源として使用することができる。
【００３７】
燃料電池スタック１は、一般に熱交換器２に接続され、そこでは、燃料電池スタックからの高温排ガスから熱を取り去ることができる。熱交換器２は、都合良く、加熱回路２’に接続される。排ガスＣは、その後、自由大気中に誘導することができる、又は排ガス中の残留酸素は、図１に例示していない追加のバーナ中で使用することができる。
【００３８】
本発明による燃料電池又は燃料電池スタック１又は燃料電池スタック・システムは、調整装置８を含み、それは、本発明による後で述べる方法の１つによって燃料電池又は燃料電池スタック又は燃料電池スタック・システムを制御する、及び／又は調整するために取り付けられる。
【００３９】
本発明による、燃料電池又は燃料電池スタック１を動作させるための方法であって、該燃料電池又は該燃料電池スタックは、所与の燃料ガス流れでは、動作温度によって決まる電気最大パワーを出力することができ、且つ動作持続時間が累積するにつれて電気内部抵抗の増加を引き起こす動作持続時間によって決まる経年劣化を示し、そして一般に出力電気パワーが低下する、方法は、新しい燃料電池又は新しい燃料電池スタックでは、動作温度の開始値が事前に決定され、その値は、好都合にも燃料電池又は燃料電池スタックに対する最大規定動作温度より小さいことと、経年劣化の結果による出力電気パワーの低下が、燃料電池又は燃料電池スタックの動作温度を経年劣化の進むのにつれて上昇させることで、部分的に、又は完全に補償されるように、燃料電池又は燃料電池スタックが調整されることとを特徴とする。
【００４０】
本方法の有利な実施例及びその変形は、記述の次の部分において述べる。
【００４１】
必要なら、燃料電池スタック１の、又は熱交換器２の入力側に、又は出力側に、送風機１１を配置することができ、それによって、ガス通気、たとえば燃料電池スタックを通過する抽出物Ａ（たとえば、環境大気）の通気を増加することができる。
【００４２】
燃料電池又は燃料電池スタックの好都合な実施例では、送風機１１は、調整装置８に接続され、その調整装置は、燃料電池スタックの動作温度を検出し、送風機の回転数を適合させることを介してその動作温度を調整する、及び／又は制御するために、たとえばライン１３を介して、燃料電池スタックの内部中の示していない温度センサに接続することができる。
【００４３】
さらにまた、燃料電池スタックのための抽出物Ａ、Ｂのための供給ラインの少なくとも１つ中に、たとえば燃料ガス流れを調整する、又は制御するために、質量流量調整器１２を設けることができる。質量流量調整器は、たとえば調整弁１２ｂと、制御ユニットを介して調整弁に接続される質量流量センサ１２ａとを含むことができる。
【００４４】
好都合な実施例では、質量流量調整器１２の制御ユニットは、質量流量を制御する、及び／又は調整するために、調整装置８に接続される。
【００４５】
さらなる好都合な実施例では、調整装置８は、燃料電池スタック１の電気出力９に接続される。この実施例の調整装置８は、測定調整ユニット６を含み、それは、燃料電池スタックの電流電圧特性線をその勾配がその間で最小になる時間の間隔で、たとえば電流センサ４及び／又は電圧センサ５によって検出するために、そして勾配の最小に関する値、又は検出された電流電圧特性線から電流の最小と相互に関連付けられる値Ｒｍｉｎを決定するために取り付けられ、それによって、動作点に関する基準点が、決定値を事前に決定されたオフセット値（Ｒｏｆｆｓｅｔ）に数学的に結び付けることによって、たとえば事前に決定されたオフセット値を検出された値に加算することによって、又は決定値とオフセット値を乗算することによって決定され、そして燃料電池スタック１の出力電圧が、そのように決定された基準点を使用して、たとえば基準点又は燃料電池スタックの出力電圧又は出力電流のための基準点から導き出された所望の値として調整される。
【００４６】
さらなる好都合な実施例では、調整装置８は、調整可能な消費者又は調整可能な電流シンク３を含み、その調整可能な消費者又は調整可能な電流シンクは、燃料電池又は燃料電池スタック１の出力電圧を調整可能な消費者又は調整可能な電流シンクを介して調整するために、燃料電池又は燃料電池スタックの出力９に接続することができる。その目的のために、測定調整ユニット６は、調整可能な消費者又は調整可能な電流シンクに、たとえばライン７を介して接続することができる。
【００４７】
都合良く、調整可能な消費者３は、電圧変圧器又はインバータであり、その出力は、電流網３’に、燃料電池スタック中で生成された電流をその電流網に注入するために、接続することができる。
【００４８】
本発明による、燃料電池又は燃料電池スタック１を動作させるための方法の実施例は、次に図１及び２を参照して述べる。本方法では、燃料電池又は燃料電池スタックは、所与の燃料ガス流れでは、電気最大パワーＰｅｌ．ｍａｘを有し、その電気最大パワーは、動作温度に依存して出力することができ、さらにまた電気内部抵抗の増加を動作持続時間が累積するにつれて引き起こす動作持続時間によって決まる経年劣化を有し、そして、経年劣化は、その対策がなければ、出力電気パワーＰｅｌが一般に減少する。本発明は、新しい燃料電池又は新しい燃料電池スタックでは、動作温度の開始値Ｔ０が事前に決定され、その値は、好都合にも燃料電池又は燃料電池スタックに対する最大規定動作温度より小さい、そして燃料電池又は燃料電池スタック１は、経年劣化の結果としての出力電気パワーの低下が、燃料電池又は燃料電池スタックの動作温度Ｔを経年劣化の進むのにつれて上昇させることで部分的に、又は完全に補償されるように調整されることそれ自体を特徴とする。
【００４９】
動作温度の開始値Ｔ０は、都合良く、電気最大パワーがその温度で得られる動作温度より低い、又はそれと等しく、通常７４０℃と８００℃の間に在る。
【００５０】
都合良く、動作温度Ｔは、経年劣化が進むのにつれて、燃料電池又は燃料電池スタックに対する最大規定動作温度Ｔｍａｘに達するまでの期間、上昇させる（図２のステップ２７）。これは、図２に示す実施例の終了基準２８に対応し、ステップ２７、２８及び２８ｂによって形成されるループが、Ｔ≧Ｔｍａｘまでの期間、継続されている。ステップの条件Ｐｅｌ＜Ｐｅｌが、待機ループを表し、それは、経年劣化の結果としての出力電気パワーの低下が所定のパワー値Ｐｅｌの下を切るまでの期間、動作温度Ｔの上昇を遅延させる。終了基準Ｔ≧Ｔｍａｘが満たされたとき、本方法は、たとえば、２８ａにジャンプするという命令によって継続することができる。
【００５１】
２８ａにジャンプするという命令は、たとえば、燃料電池スタック１を予め決定できる時間枠内に交換しなければならないということを示す警告を引き起こすことができる。
【００５２】
都合良く、出力電気パワーに対する上側閾値Ｐｅｌが事前に決定され、この上側閾値は、たとえば、新しい燃料電池又は新しい燃料電池スタックの電気最大パワーのせいぜい８０％、又はせいぜい９０％、又はせいぜい９５％にすることができる（図２の条件２２）。
【００５３】
好都合な実施例では、経年劣化の結果としての出力電気パワーの低下は、燃料電池又は燃料電池スタックの電気出力電圧Ｕを経年劣化の進むのにつれて低下させることで補償され、たとえば、開始値Ｕ０は、出力値に対して事前に決定することができ、その開始値は、電気出力パワーが、所与の燃料ガス流れ及び所与の動作温度では、その値で最大になる出力電圧値Ｕｏｐｔより高い。
【００５４】
都合良く、出力電圧Ｕは、電気出力パワーが、所与の燃料ガス流れ及び所与の動作温度では、その値で最大になる出力電圧Ｕｏｐｔに達するまでの期間、低下させる（図２のステップ２３）。これは、図２に示す本実施例の終了基準２４に対応し、ステップ２３、２４及び２４ｂによって形成されるループが、Ｕ≦Ｕｏｐｔまでの期間、継続されている。ステップ２４ｂの条件Ｐｅｌ＜Ｐｅｌは、待機ループを表し、それは、経年劣化の結果としての出力電気パワーの低下が所定のパワー値Ｐｅｌの下を切るまでの期間、出力電圧Ｕの低下を遅延させる。終了基準Ｕ≦Ｕｏｐｔが満たされたとき、本方法は、たとえば、２４ａにジャンプするという命令によって継続することができる。
【００５５】
さらなる好都合な実施例では、経年劣化の結果としての出力電気パワーの低下は、燃料ガス流れＰｇａｓを経年劣化の進むのにつれて増加させることで補償され、たとえば、燃料ガス流れに対する開始値Ｐｇａｓ０は、事前に決定することができ、その値は、燃料電池又は燃料電池スタックに対する最大規定燃料ガス流れＰｍａｘより小さい。
【００５６】
都合良く、燃料ガス流れＰｍａｘは、燃料電池又は燃料電池スタックに対する最大規定燃料ガス流れＰｍａｘに達するまでの期間、増加させる（図２のステップ２５）。これは、図２に示す実施例の終了基準２６に対応し、ステップ２５、２６及び２６ｂによって形成されるループが、Ｐｇａｓ≧Ｐｍａｘまでの期間、継続されている。ステップ２６ｂの条件Ｐｅｌ＜Ｐｅｌは、待機ループを表し、それは、経年劣化の結果としての出力電気パワーの低下が所定のパワー値Ｐｅｌの下を切るまでの期間、燃料ガス流れＰｇａｓの増加を遅延させる。終了基準Ｐｇａｓ≧Ｐｍａｘが満たされたとき、本方法は、たとえば、２６ａにジャンプするという命令によって継続することができる。
【００５７】
上記に述べた実施例及びその変形は、たとえば、電気出力電圧Ｕのための開始値Ｕ０が事前に決定され、その値は、電気出力パワーが、所与のガス流れ及び所与の動作温度では、その値で最大になる出力電圧値Ｕｏｐｔより高い、及び／又は燃料ガス流れＰｇａｓのための開始値Ｐｇａｓ０が事前に決定され、その値は、燃料電池又は燃料電池スタックに対する最大規定燃料ガス流れＰｍａｘより小さく、そして動作温度Ｔの開始値Ｔ０が事前に決定され、その値は、燃料電池又は燃料電池スタックに対する最大規定動作温度Ｔｍａｘより小さい（図２のステップ２１）、そこでは、場合に応じて、第１のフェーズでは、経年劣化の結果としての出力電気パワーの低下は、電気出力電圧Ｕを、電気出力パワーがその値で最大待機ループになる出力電圧値Ｕｏｐｔに達するまで低下させることで補償される、場合に応じて、第２のフェーズでは、経年劣化の結果としての出力電気パワーの低下は、燃料ガス流れＰｇａｓを、燃料電池又は燃料電池スタックに対する最大規定燃料ガス流れＰｍａｘに達するまで増加させることで補償される、そして、場合に応じて、第３のフェーズでは、経年劣化の結果としての出力電気パワーの低下は、燃料電池又は燃料電池スタックの動作温度Ｔを、燃料電池又は燃料電池スタックに対する最大規定動作温度Ｔｍａｘに達するまで上昇させることで補償される点において、様々なシーケンスにおいて、ペアで、又は３つで互いに結合することができる。
【００５８】
実施例とは独立に、必要なら、燃料電池又は燃料電池スタックの電流電圧特性線は、動作の間、その勾配がその間で最小になる時間の間隔で検出することができ、勾配の最小に関する値、又は勾配の最小と関連付けられる値Ｒｍｉｎが、それぞれ、検出された電流電圧特性線から決定され、そこでは、動作点に対する基準点が、決定値を事前に決定されたオフセット値Ｒｏｆｆｓｅｔに数学的に結び付けることによって、たとえば事前に決定されたオフセット値を決定値に加算することによって、又は事前に決定されたオフセット値によって乗算することによって決定され、そして燃料電池又は燃料電池スタックの出力電圧は、そのように決定された基準点を使用して調整される。
【００５９】
都合良く、出力電圧Ｕに関する基準点は、このようにして決定され、そこでは、このようにして決定された基準点は、電気出力パワーが、所与の燃料ガス流れ及び所与の動作温度では、その値で最大になる出力電圧値Ｕｏｐｔについての近似値として使用することができる。
【００６０】
実施例の好都合な変形では、燃料電池又は燃料電池スタックは、電圧によって管理される、これは、燃料電池又は燃料電池スタックが、セル電圧に対する、又は出力電圧に対する所望の値に調整され、その所望値は、上記で決定された基準点より小さい、又は等しいことを意味する。
【００６１】
勾配の最小に関する値は、たとえば、勾配の最小における燃料電池又は燃料電池スタックの内部抵抗又はＡＳＲとしても呼ばれる面積固有抵抗（ａｒｅａ  ｓｐｅｃｉｆｉｃ  ｒｅｓｉｓｔａｎｃｅ）の値、又は勾配の最小と関連付けられる値Ｒｍｉｎとすることができ、場合に応じて、その勾配の最小に関する値は、勾配が最小において、燃料電池又は燃料電池スタックの内部抵抗又は面積固有抵抗の値に結び付けることができる。面積固有抵抗ＡＳＲは、内部抵抗が、それぞれ、燃料電池の電気化学的に活性な表面とともに増加することで、又は内部抵抗が、中継器ユニットの電気化学的に活性な表面の燃料電池スタックの反復単位とともに増加することで、燃料電池の内部抵抗から計算される。
【００６２】
都合良く、勾配の最小に関する値又は勾配の最小と関連付けられる値Ｒｍｉｎは、電流電圧特性線から数学的に、たとえば数値的に、又は電流電圧特性線の数学的な導出によって決定される。
【００６３】
さらなる好都合な実施例では、燃料電池又は燃料電池スタックの電流電圧特性線は、少なくとも２００時間、又は少なくとも５００時間の後、又は少なくとも１０００時間の後、或いは２００時間毎、又は５００時間毎、又は１０００時間毎の動作の間に決定され、そして基準点が、検出された電流電圧特性線から新たに決定される。
【００６４】
都合良く、燃料電池又は燃料電池スタック１の出力電圧は、調整可能な消費者又は調整可能な電流シンク３を介して調整され、それは、燃料電池又は燃料電池スタックの出力９に接続され、そこでは、調整可能な消費者３は、たとえば電圧変圧器又はインバータとすることができ、その出力３’は、燃料電池又は燃料電池スタック中で生成される電流を電流網に導入するために、電流網に接続することができる。
【００６５】
本発明による燃料電池又は燃料電池スタックを調整するための本方法及び調整装置、さらにまた燃料電池及び燃料電池スタックは、動作温度の開始値が低いことによって、経年劣化が低減され、そして燃料電池及び燃料電池スタックの寿命を延ばすことができるという利点を有する。さらに、燃料電池又は燃料電池スタックは、それぞれ、たとえ動作条件が、時間が経つにつれて変化したときでさえ、安全に動作させることができる。さらなる利点は、本方法で使用される調整のおかげで、寿命の大部分にわたって実質的に一定の電気パワーをユーザに提供できること自体に在る。
【符号の説明】
【００６６】
１  燃料電池又は燃料電池スタック
２  熱交換器
２’  加熱回路
３  調整可能な消費者又は調整可能な電流シンク
３’  電流網
４  電流センサ
５  電圧センサ
６  測定調整ユニット
７  ライン
８  調整装置
９  出力
１０  燃料電池システム
１１  送風機
１２  質量流量調整器
１２ａ  質量流量センサ
１２ｂ  調整弁
１３  ライン
Ａ  抽出物
Ｂ  抽出物
Ｃ  排ガス
Ｗ  水
【図１】
2014212114.tif 000005
【図２】
2014212114.tif 000006
【図３Ａ】
2014212114.tif 000007
【図３Ｂ】
2014212114.tif 000008